(57)【要約】本発明は、一般的に、電子システム、特に携帯通信システムに関する。携帯装置でコンタクトを生成する方法は、ユーザからの、コンタクトまたはグループを生成する要求を処理することを含む。所定時間のあと、コンタクトまたはグループの生成の確認が受信されなかった場合、グループは携帯装置から削除される。１つの局面において、所定時間は、コンタクトまたはグループを生成する要求の時間から測定される。もう１つの局面においては、所定時間はグループ生成時間よりも長い。
2008514144.tif 000002
【特許請求の範囲】
【請求項１】
トランシーバと、
該トランシーバと結合されたプロセッサであって、
ユーザからの、コンタクトを生成する要求を処理するステップと、
所定時間該プロセッサに接続されたメモリに該要求に関連したコンタクト情報を格納するステップと
該トランシーバを介して、サーバへ該要求を送信するステップと、
確認が、該所定時間の満了前に該サーバから該トランシーバを介して受信されたかどうかを決定するステップと、
いかなる確認も該所定時間の満了前に受信されなかった場合、該決定に応答して該メモリから該コンタクト情報を削除するステップと
を実行するように構成されたプロセッサと
を含む、携帯装置。
【請求項２】
前記コンタクトがコンタクトのグループを含む、請求項１に記載の携帯装置。
【請求項３】
前記所定時間がグループ生成時間よりも大きい、請求項１に記載の携帯装置。
【請求項４】
前記所定時間がグループ生成時間に等しい、請求項１に記載の携帯装置。  
【請求項５】
前記プロセッサがマイクロプロセッサを含む、請求項１に記載の携帯装置。  
【請求項６】
前記プロセッサが移動局モデムを含む、請求項１に記載の携帯装置。  
【請求項７】
前記プロセッサがデジタル信号プロセッサを含む、請求項１に記載の携帯装置。  
【請求項８】
前記プロセッサが特定用途向け集積回路を含む、請求項１に記載の携帯装置。  
【請求項９】
前記プロセッサがデジタル論理を含む、請求項１に記載の携帯装置。    
【請求項１０】
前記プロセッサと結合されたメモリであって、該メモリはインストラクションを格納するように構成され、前記プロセッサは該メモリにアクセスし、かつ該インストラクションを実行するように構成されているメモリをさらに含む、請求項１に記載の携帯装置。
【請求項１１】
前記メモリはランダムアクセスメモリを含む、請求項１０に記載の携帯装置。
【請求項１２】
前記メモリはフラッシュメモリを含む、請求項１１に記載の携帯装置。
【請求項１３】
前記所定時間を規定するタイマをさらに含み、前記プロセッサは、前記コンタクト情報が格納されている場合、該タイマを設定するように構成されている、請求項１２に記載の携帯装置。
【請求項１４】
前記プロセッサに接続されているユーザインターフェースであって、該ユーザインターフェースは、加入者が新たなコンタクトを生成したい望みを指示することを可能にするように構成されているユーザインターフェースをさらに含む、請求項１１に記載の携帯装置。
【請求項１５】
前記ユーザインターフェースは、加入者が新たなコンタクトに関する情報を入力することを可能にするように構成されている、請求項１４に記載の携帯装置。
【請求項１６】
携帯装置上でコンタクトを生成する方法であって、
新たなコンタクト情報を受信するステップと、
所定時間該新たなコンタクト情報を格納するステップと、
該新たなコンタクト情報を含む要求を送信するステップと、
該所定時間の満了前に、該新たなコンタクトが生成されたことを指示する確認が受信されたかどうかを決定するステップと、
いかなる確認も該所定時間の満了前に受信されなかった場合、該決定に応答してメモリから該コンタクトを削除するステップと
を含む、方法。
【請求項１７】
前記確認が前記所定時間の満了前に受信された場合、前記メモリ内に前記コンタクトを保持することをさらに含む、請求項１４に記載の方法。
【請求項１８】
前記所定時間がグループ生成時間よりも大きい、請求項１４に記載の方法。
【請求項１９】
前記所定時間がグループ生成時間に等しい、請求項１４に記載の方法。
【請求項２０】
無線信号を送受信し、かつ受信した信号を処理するように構成されたトランシーバを含む基地局と、
該基地局と結合されたサーバであって、コンタクト生成に関する処理された信号を受信し、かつコンタクトがうまく生成された場合、該基地局に確認を返信するように構成されたサーバと、
トランシーバを含む携帯装置であって、該トランシーバを介して、該サーバに送信するように構成され、かつ、
ユーザからの、コンタクトを生成する要求を処理するステップと、
所定時間、該携帯装置内のメモリ内に該コンタクトを格納するステップと、
該基地局を介して該サーバへ要求を送信するステップと、
確認が、該所定時間の満了前に、該サーバから受信されたかどうかを決定するステップと、
いかなる確認も該所定時間の満了前に受信されなかった場合、該決定に応答して、該メモリから該コンタクトを削除するステップと
を実行するようにさらに構成された携帯装置と
を含む、携帯通信システム。
【請求項２１】
前記所定時間はグループ生成時間よりも長い、請求項１８に記載の携帯電話システム。
【請求項２２】
前記所定時間はグループ生成時間に等しい、請求項１８に記載の携帯電話システム。
【請求項２３】
携帯装置を操作する方法を実行するインストラクションを具体化する、コンピュータ読み取り可能な媒体であって、該方法は、
ユーザからの、コンタクトを生成する要求を処理するステップと、
所定時間プロセッサに接続されたメモリ内に該コンタクトを格納するステップと、
サーバへ該要求を送信するステップと、
確認が、該所定時間の満了前に、該サーバから受信されたかどうかを決定するステップと、
いかなる確認も、該所定時間の満了前に、受信されなかった場合、該決定に応答して該メモリから該コンタクトを削除するステップと
を含む、コンピュータ読み取り可能な媒体。
【請求項２４】
前記コンピュータ読み取り可能な媒体はメモリを含む、請求項２１に記載のコンピュータ読み取り可能な媒体。
【発明の詳細な説明】
【技術分野】
【０００１】
（関連出願）
本出願は、「ＭＯＢＩＬＥ  ＴＥＬＥＰＨＯＮＥ  ＨＡＮＤＳＥＴ，ＭＯＢＩＬＥ  ＴＥＬＥＰＨＯＮＥ  ＳＹＳＴＥＭ  ＡＮＤ  ＭＥＴＨＯＤ」と題し、同一所有権の同時係属の米国出願第１０／９５６，４１３号に関し、参照によりその全容が本明細書に組み込まれる。
【０００２】
（発明の背景）
（１．発明の分野）
本発明は、一般的に、電子システム、特に携帯通信システムに関する。
【背景技術】
【０００３】
（２．背景技術）
世界の多くの場所で携帯電話の使用は普遍的となった。携帯電話で利用できる１つの人気ある特徴はプッシュツトークとして知られている。プッシュツトークは、携帯電話ハンドセットがウォーキートーキーと同様に機能することを可能にする。通常、ユーザはコンタクトまたはコンタクトのグループを選択し、かつトークボタンを押し、押した状態で話す。ユーザが話し終わったとき、トークボタンを解除すると通信が終わる。プッシュツトークの１つの利益は、通常より短い携帯電話の通話である。プッシュツトークはまた、頻繁に呼び出される当事者と通信するための、より効率的かつ便利な方法であり得る。
【０００４】
通常、新たなコンタクトまたはグループに対してプッシュツトークサービスを使用する要求は、外部のサーバを通して取り扱われ、かつ携帯電話ハンドセットへ追加される。これとは対照的に、従来の携帯電話ハンドセットアドレス帳サービスは通常、直接携帯電話ハンドセット上に位置し、かつ処理される。
【０００５】
新たなプッシュツトークコンタクトまたはグループは通常、コンタクトまたはグループを生成する要求を外部のサーバに送信することによって生成される。携帯は、コンタクトまたはグループがうまく生成されたというサーバからの確認を待つ。携帯が確認を受信するまでは、新たなコンタクトまたはグループは、携帯の観点からすると未決定のままである。プッシュツトーク電話は、未決定のコンタクトまたはグループに対しては掛けられ得ない。さらに、未決定のコンタクトまたはグループは削除され得ない。なぜならば、携帯電話ハンドセットはサーバからの確認を待っているからである。
【０００６】
いくつかの場合においては、サーバはコンタクトまたはグループを生成し得なくあり得る。例えば、コンタクトが有効でない場合、コンタクトは生成されない。同様に、グループの中で１つ以上のコンタクトが有効でない場合は、そのグループは生成されない。通常、サーバでコンタクトまたはグループを生成するために許されている時間の量は、グループ生成時間として知られている最大時間に制限されている。グループ生成時間の長さは、特定の通信業者、またはいくつかの場合には、特定のサーバによって変化し得る。グループ生成時間が満了した後、サーバは通常、問題の特定の時間に関連したコンタクトまたはグループを削除する。しかしながら、従来のシステムにおいては、サーバは、コンタクトまたはグループが生成されなかったことを、携帯電話ハンドセットに通信しない。
【０００７】
サーバが新たなコンタクトまたはコンタクトのグループを生成しそこなった場合、携帯電話ハンドセットは未決定のコンタクトまたはグループを削除しない。プッシュツトーク電話は未決定のコンタクトまたはグループには掛けられず、かつ未決定のコンタクトまたはグループは削除され得ないので、未決定のコンタクトまたはコンタクトのグループはユーザを混乱させ得、かつ／または例えば携帯電話ユーザインターフェース上のメモリおよびスペースなど、携帯ハンドセット上の資源を浪費し得る。さらに、グループが、いくつかの無効エントリーのために無効である場合、ユーザが、無効のグループ内で有効ないかなるコンタクトともコンタクトすることがさらに難しくなり得る。
【発明の開示】
【課題を解決するための手段】
【０００８】
（発明の概要）
携帯装置でコンタクトを生成する方法は、ユーザからの、コンタクトまたはグループを生成する要求を処理することを含む。所定時間のあと、コンタクトまたはグループの生成の確認が受信されなかった場合、グループは携帯装置から削除される。
【０００９】
１つの局面において、所定時間は、コンタクトまたはグループを生成する要求の時間から測定される。
【００１０】
もう１つの局面においては、所定時間はグループ生成時間よりも長い。
【００１１】
これらおよびその他の特徴、局面および実施形態は下の「詳細な説明」と題する箇所に記載されている。
【００１２】
本発明は、その特定の実施形態について記載され、以下、図についての参照がなされる。
【発明を実施するための最良の形態】
【００１３】
（詳細な説明）
例が下に携帯装置、特に携帯電話ハンドセットを背景として、一般的に論じられている。本明細書に記載されるシステムおよび方法は、パーソナルデジタルアシスタント（ＰＤＡ）、ページャその他を含んで、しかし制限されず、いかなる携帯装置にでも適用され得ることを理解されたい。図１は、本明細書に記載されるシステムおよび方法にしたがって、コンタクトまたはコンタクトのグループを生成するための方法の実施形態を図解するフローチャートである。ステップ１０２において、コンタクトまたはグループを生成するユーザ要求は処理され得る。特定の実施形態においては、ユーザ要求はプッシュツトークサービスに対するコンタクトまたはグループを生成するための要求であり得る。例えば、加入者が新しいコンタクトまたはグループを生成することを望む場合、加入者は自分たちの携帯装置上でユーザインターフェースを通して、そのようにすることを選択し得る。いったん加入者が、関係情報をユーザインターフェースを通して入力し終われば、携帯装置は、コンタクトまたはグループを生成する要求を発生し得、かつ処理のために外部のサーバにそれを形成し得る。
【００１４】
ステップ１０４において、コンタクトまたはグループは、所定時間、携帯装置上のメモリ場所に格納され得る。メモリは、例えば、ランダムアクセスメモリ、フラッシュメモリまたは携帯電子装置において普通使用される他のいかなるタイプのメモリでもあり得る。メモリはさらに図２について論じられる。
【００１５】
ステップ１０６において、コンタクトまたはコンタクトのグループを生成する要求は外部のサーバへ送信され得る。サーバが要求を受信する場合、サーバは、要求を処理し、かつ携帯装置に確認を送信し返すように構成され得る。要求を処理する場合、サーバはグループ生成タイマを設定するように構成され得る。特定の実施形態では、グループが、グループ生成タイマの満了の前に生成され得なければ、サーバはグループを生成する試みをやめるが、従来のシステムにおいては、サーバは、グループを作ることができないことを携帯装置に指示しない。
【００１６】
したがってステップ１０８においては、携帯装置は、携帯装置上に維持されている所定時間の満了前に、確認が受信されたかどうかを決定する。ステップ１１０においては、確認が所定時間の満了前に受信されなければ、コンタクトは削除され得る。あるいは、確認が所定時間の満了の前に受信されたならば、ステップ１１２に図解されるように、コンタクトは取得され得る。
【００１７】
１つの実施形態においては、携帯装置は、ステップ１０８、１１０および／または１１２が所定時間の満了の後に起きるように構成され得る。他の実施形態においては、ステップ１０８はステップ１１０と共に起き得、双方とも所定時間の間、いつでも起き得る。例えば、確認が所定時間の満了の前に受信されれば、携帯装置は、確認が受信された（ステップ１０８）と決定し、コンタクトまたはグループを格納するように構成され得る（ステップ１１２）。
【００１８】
１つの実施例においては、携帯装置は電源が入ったとき、所定時間の満了を決定するためにカウントダウンを始めるように構成され得る。このようにして、携帯装置が最後に電源を切られたとき未定であるグループおよび／またはコンタクトは、グループ、コンタクトまたは双方が有効でない場合は削除され得る。あるいは、携帯装置は、最後に電源を落とされたとき、やめたところからカウントダウンを続け得る。他の実施形態においては、携帯装置は電源が入ったとき、所定時間が満了したと仮定し得、確認を受信していないグループおよび／またはコンタクトは、削除され得る。もう１つの実施形態においては、携帯装置は、所定時間が満了したかどうかを決定するために、時間情報を使用し得る。所定時間が満了した場合、確認を受信していないグループおよび／またはコンタクトは削除され得る。
【００１９】
図１の方法のインプリメンテーションは、資源およびグループ生成に関連したオーバーヘッドを削減し得る。例えば、いくつかの場合において、より少ないメモリが無効なコンタクトまたはグループに充てられ得る。なぜならば、無効なコンタクトまたはグループは削除され得るからである。より少ない無効なコンタクトを有すると、また、加入者にとって混乱がより少なくなり得る。
【００２０】
図２は携帯装置、特に、本明細書に記載されたようなシステムおよび方法にしたがって構成された携帯電話ハンドセット２００を図解する図である。携帯電話ハンドセット２００は、図１によって図解されたステップを実行するように構成され得る。携帯電話ハンドセット２００は無線信号を送受信するように構成されたアンテナ２０２を含み得る。アンテナ２０２は単一のアンテナとして示されているが、アンテナ２０２は複数のアンテナ、多数のアンテナその他であり得ることを理解されたい。さらに、アンテナ２０２は外部アンテナとして示されているが、アンテナ２０２は内部アンテナ、外部アンテナ、または、内部および外部アンテナの組み合わせであり得ることを理解されたい。
【００２１】
アンテナ２０２は無線２０４に接続されている。無線２０４は、アンテナ２０２を介して送受信される無線信号を処理するために必要な回路構成を含み得る。例えば、無線２０４は、フィルタ、復調器、および、アンテナ２０２を介して受信された無線信号をベースバンド信号を運ぶ情報に変換するために必要なアナログデジタルへ変換器を含み得る。同様に、無線２０４は、フィルタ、復調器、および、ベースバンド信号をアンテナ２０２を介して送信され得る無線信号に変換するために必要なデジタルアナログへ変換器を含み得る。無線２０２はさまざまな集積回路および／または個別の構成要素を含み得ることを、もちろん理解されたい。無線によって通常実行されるいくつかの回路または機能のいずれかが、プロセッサ２０６に組み入れられ得る。したがって、図２の実施形態は、本明細書に記述されるシステムおよび方法は、なんらかの特別なデザインまたはアーキテクチャに限定されるものと見られるべきではない。
【００２２】
プロセッサ２０６は無線２０４に接続され得る。プロセッサ２０６は無線によって処理される信号を生成および受信し、かつ、無線２０４を制御するように構成され得る。プロセッサ２０６はまた、携帯装置２００のアプリケーションを制御するように、かつ、図１の方法をインプリメントするように構成され得る。プロセッサ２０６は、マイクロプロセッサ、デジタル論理、またはデジタル信号プロセッサ（ＤＳＰ）を含み得る。さらに、プロセッサ２０６は移動局モデム（ＭＳＭ）、または特定用途向け集積回路（ＡＳＩＣ）を含み得る。プロセッサ２０６はまた、装置の組み合わせでもあり得、例えば、プロセッサ２０６はマイクロプロセッサ、デジタル信号プロセッサ、およびデジタル論理を含み得る。
【００２３】
プロセッサ２０６はメモリ２０８に接続され得、メモリ２０８は、装置の作動を制御するために、プロセッサ２０６によって使用されるインストラクションを格納するように構成され得る。メモリ２０８は、プロセッサ２０６で処理するために、データを格納し得る。メモリ２０８はランダムアクセスメモリ（ＲＡＭ）、フラッシュメモリ、ハードディスクまたはそれらのなんらかの組み合わせであり得る。さらに、メモリ２０８またはその一部分は、取り外し可能であり得る。メモリ２０８はプロセッサ２０６から分離されてパッケージ化された装置であり得る。もう１つの実施形態では、メモリ２０８は、単一の装置内にプロセッサ２０６と共にパッケージ化され得る。
【００２４】
したがって、プロセッサ２０６に図１のステップをインプリメントさせるインストラクションはメモリ２０８に格納され得、必要であれば、プロセッサ２０６は、図１に関連して説明されたように、グループまたはコンタクトを生成するためにインストラクションにアクセスするように構成され得る。このようにして、携帯装置２００に関連した加入者が新たなコンタクトを生成することを決定する場合、加入者はユーザインターフェース２１０を介してこの望みを指示し得る。
【００２５】
ユーザインターフェース２１０は表示装置、キーパッド、ブザーまたはリンガー、マイクロフォン、スピーカその他を含み得る。結局、ユーザインターフェース２１０は加入者が携帯装置２００とインターフェースを取ることを可能にするために所望されているハードウエアおよびソフトウエアを含み得る。特定の実施形態においては、これは、いったんプッシュツトークコンタクトが選択されるや、ユーザは単にボタンを押すだけでそのコンタクトと通信を確立できるようなプッシュツトークメカニズムを含み得る。
【００２６】
加入者は、新しいコンタクトに関連した情報を入力するために、ユーザインターフェース２１０を使用し得る。例えば、加入者は、いくつかの実施形態においては、ユーザインターフェースを介して新たなコンタクトを生成する望みを指示するために、ユーザインターフェース２１０を使って、メニュオプションをスクロール、あるいは選択し得る。いったん、情報がユーザインターフェース２１０を介して受信されると、プロセッサ２０６は、その要求を処理するように構成され得る（ステップ１０２）。新たなコンタクト情報はメモリ２０８に格納され（ステップ１０４）、無線２０４およびアンテナ２０２を介して外部サーバに送信され得る（ステップ１０６）。
【００２７】
携帯装置２００はまた、所定時間のために時間設定を含み得る。プロセッサ２０６は、外部サーバへ要求を送信すると、タイマを起動するように構成され得る。タイマはハードウエアもしくはソフトウエアタイマ、またはそれらのなんらかの組み合わせであり得る。携帯装置２００が、コンタクトが生成されたという確認を受信する場合、プロセッサ２０６はその新たなコンタクトをメモリ２０８に永久に格納するように構成され得る。あるいは、プロセッサ２０６が、タイマの満了前に確認が受信されなかったと決定する（ステップ１０８）場合、プロセッサ２０６は、ユーザコンタクトを削除するように構成され得る（ステップ１１２）。
【００２８】
上に記載されたように、外部サーバは要求を受信し、かつその新たなコンタクト情報を処理し始める。従来は、外部サーバはまた、いったん要求が受信されると設定されるグループ生成タイマと呼ばれるタイマを含む。グループ生成タイマの満了前に、１つの新たなコンタクト情報が確かめ得られないか、または新たなコンタクトが生成され得ない場合は、処理が失敗し、かつ外部サーバは新たなコンタクトを生成する試みをやめる。さらに、いかなる確認も携帯装置に送信されない。逆に、グループ評価時間によって規定された時間内に、新たなコンタクトが確かめられ、かつ生成され得る場合、新たなコンタクトは生成され、かつ確認が携帯装置に送信される。
【００２９】
したがって、特定の実施形態においては、携帯装置２００に含まれるタイマは、サーバ上に含まれるグループ生成タイマによって規定される時間よりも長い時間を規定する。これは明らかに、携帯装置が新たなコンタクトを削除する前に、外部サーバがユーザコンタクトを確かめ、生成し、確認を送信するのに充分な時間を有することを確実なものにする。
【００３０】
例示的な無線通信システム３００を描写する図３に図解されているように、外部サーバ３０８は１つ以上の基地局３０２を介して１つかまたは２つ以上の携帯装置３１０と通信し得る。このようにして、携帯装置３１０は上に記載されているように、基地局３０２へ要求を送信するように構成され得る。基地局３０２はアンテナ３０４を介して要求を受信し、かつ無線３０６を使ってそれらを処理し得る。処理された要求は、取り扱いのために、サーバ３０８へ転送され得る。同様に、確認が、処理および携帯装置３１０への送信のために、サーバ３０８から基地局３０２へ送られ得る。
【００３１】
特定の実施形態が上に記載されたけれども、記載された実施形態はただの例として記載されていることを理解されたい。したがって、本発明は記載された実施形態に基づいて制限されるべきではない。むしろ、本明細書に記載された本発明の範囲は、上の記載および添付の図と共に受け取られた場合、添付の特許請求の範囲に照らしてのみ制限されるべきである。
【図面の簡単な説明】
【００３２】
【図１】方法の実施形態を図解するフローチャートである。
【図２】携帯電話ハンドセットの形体をとる携帯装置を図解する図である。
【図３】携帯通信システムを図解する図である。
【図１】
2008514144.tif 000003
【図２】
2008514144.tif 000004
【図３】
2008514144.tif 000005
【国際調査報告】
2008514144.tif 000006
2008514144.tif 000007